【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
走行機体（１）の後部に苗植付装置（１０）を設け、前後に長い予備苗載せ台（１２）を、該予備苗載せ台（１２）の左右中央よりも機体の左右方向内側寄りで上下方向の旋回軸（２８）回りに回動可能に走行機体（１）に支持した乗用田植機。
【請求項２】
空箱を収納する空箱フレーム（３１）と予備苗載せ台（１２）の間に苗取板を保持する苗取板フレーム（３２）を設けた請求項１に記載の乗用田植機。
【請求項３】
未植付圃場側に張り出して圃場面に印を付ける線引きマーカ（３５）を、支持杆（３７）を起立させて使用しない状態に切替可能に走行機体（１）に設け、予備苗載せ台（１２）を複数の部材に分割してこれらの部材を上下に重ねて折り畳み可能に構成し、予備苗載せ台（１２）を折り畳んだ状態であれば旋回軸（２８）回りに回動しても該予備苗載せ台（１２）に干渉しない位置に、使用しない状態に切り替えた線引きマーカ（３５）を配置した請求項２に記載の乗用田植機。
【請求項４】
左右の予備苗載せ台（１２）を互いの間隔が平面視で前方が狭くなるハの字状に固定できる構成とし、予備苗載せ台（１２）を走行機体（１）の左右方向外側へいくほど下位となるよう傾けた請求項２に記載の乗用田植機。
【手続補正２】
【補正対象書類名】明細書
【補正対象項目名】全文
【補正方法】変更
【補正の内容】
【発明の詳細な説明】
【発明の名称】乗用田植機
【技術分野】
【０００１】
この発明は、田植機の苗植付作業中に苗植付部へ補給する予備苗を多数戴置する予備苗載せ台の取付構造に関する。
【背景技術】
【０００２】
乗用田植機においては、走行機体の前側左右側部に複数の予備苗箱を戴置する予備苗載せ台を設けて、走行機体の後側に設ける苗植付部の苗マットが無くなると予備苗載せ台上の苗マットを苗植付部に順次補給しながら田植作業を長く続行できるようにしている。例えば、特開平６−３０３８０７号公報に、車体上のステアリングハンドルから操縦席にいたる左右両側部に予備苗載せレールを設けた乗用田植機の構成が記載されている。
【特許文献１】特開平６−３０３８０７号公報（図９参照）
【発明の開示】
【発明が解決しようとする課題】
【０００３】
前記の特許文献に記載の予備苗載せ台は、二本の平行レールを走行機体に支持した垂直の旋回軸で支持し、機体の前方或いは横側方へ張り出した状態で苗取板に載せたマット状の予備苗を平行レールに載せ、旋回して機体側部に沿わせた状態で植付作業を行うようにしている。この予備苗載せ台を機体に沿わせた状態では、予備苗を載せた苗取板の幅が広いためにこの苗取板が機体のステップ上を覆い、ステップ上で予備苗を苗植付部へ供給する作業が行い難い問題が有った。
【０００４】
そこで、本発明では、乗用田植機において、予備苗載せ台の支持構成を工夫することで移動可能なステップ上のスペースを広げてオペレータの予備苗供給作業を行い易くすることが課題である。
【課題を解決するための手段】
【０００５】
上記本発明の課題は、次の技術手段により解決される。
請求項１に記載の発明は、走行機体（１）の後部に苗植付装置（１０）を設け、前後に長い予備苗載せ台（１２）を、該予備苗載せ台（１２）の左右中央よりも機体の左右方向内側寄りで上下方向の旋回軸（２８）回りに回動可能に走行機体（１）に支持した乗用田植機とした。
【０００６】
また、請求項２に記載の発明は、空箱を収納する空箱フレーム（３１）と予備苗載せ台（１２）の間に苗取板を保持する苗取板フレーム（３２）を設けた請求項１に記載の乗用田植機とした。
また、請求項３に記載の発明は、未植付圃場側に張り出して圃場面に印を付ける線引きマーカ（３５）を、支持杆（３７）を起立させて使用しない状態に切替可能に走行機体（１）に設け、予備苗載せ台（１２）を複数の部材に分割してこれらの部材を上下に重ねて折り畳み可能に構成し、予備苗載せ台（１２）を折り畳んだ状態であれば旋回軸（２８）回りに回動しても該予備苗載せ台（１２）に干渉しない位置に、使用しない状態に切り替えた線引きマーカ（３５）を配置した請求項２に記載の乗用田植機とした。
また、請求項４に記載の発明は、左右の予備苗載せ台（１２）を互いの間隔が平面視で前方が狭くなるハの字状に固定できる構成とし、予備苗載せ台（１２）を走行機体（１）の左右方向外側へいくほど下位となるよう傾けた請求項２に記載の乗用田植機とした。
【発明の効果】
【０００７】
請求項１に記載の発明では、予備苗載せ台（１２）を走行機体（１）の外側寄りに配置でき、予備苗載せ台（１２）を旋回軸（２８）回りに回動させることにより、操縦席周りのステップ上が広く開放されるので、予備苗の補給作業が楽に行えて作業能率が向上する。
請求項２に記載の発明によると、請求項１に記載の発明の効果に加えて、空箱フレーム（３１）と予備苗載せ台（１２）の間で苗取板を保持できる。
請求項３に記載の発明によると、請求項２に記載の発明の効果に加えて、予備苗載せ台（１２）を折り畳んだ状態であれば、線引きマーカ（３５）に干渉させずに予備苗載せ台（１２）を旋回軸（２８）回りに回動させることができ、作業能率が向上する。
請求項４に記載の発明によると、請求項２に記載の発明の効果に加えて、左右の予備苗載せ台（１２）を互いの間隔が平面視で前方が狭くなるハの字状に固定することにより、操縦席周りのステップ上が広く開放されるので、予備苗の補給作業が楽に行えて作業能率が向上する。また、畦側に立っている補助作業者が予備苗載せ台１２へ苗箱Ｎを載せ易くなる。
【発明を実施するための最良の形態】
【０００８】
この発明の実施例を図面に基づき説明する。
図１は、予備苗載せ台１２を装備した乗用型田植機を示すものであり、この走行機体１の略中央に駆動源であるエンジンＥを搭載し、このエンジンＥの回転動力をミッションケース（図示省略）内の変速装置に伝え、この変速装置で減速された回転動力を前輪４及び後輪５とに伝えるようにしている。エンジンＥの上方に操縦席６が設置され、操縦席６の前方には、左右の前輪４，４を操舵するステアリングハンドル７が装備され、操縦席６の後方には施肥装置２の肥料タンク３が設けられている。
【０００９】
更に、走行機体１の後部には昇降リンク機構９を介して苗植付装置１０が装着され、この苗植付装置１０と走行機体１との間には苗植付装置１０を上下に昇降する油圧昇降シリンダ８が装備されている。
【００１０】
苗植付装置１０は、植付条数分に仕切られた苗載せ面に土付きのマット状苗が載置される苗載タンク１０ａと、苗載タンク１０ａ上の苗を圃場に植え付ける植付条数分の植付装置１０ｂと、圃場面上を滑走して整地するフロート１０ｃ等からなる。
【００１１】
予備苗載せ台１２は、前台１２ａと中央台１２ｂと後台１２ｃの三部材からなり、中央台１２ｂに対して後台１２ｃをそれぞれに上方へ突出させた後ヒンジ１３ａ，ｂと連結軸１４で連結し、後台１２ｃを中央台１２ｂの上に重ねて折り畳めるようにし、中央台１２ｂに対して前台１２ａをそれぞれに上方へ突出させた前ヒンジ１５ａ，ｂと連結軸１６で連結し、この前台１２ａを中央台１２ｂの上に重ねた後台１２ｃの上にさらに重ねて折り畳めるようにしている。この前ヒンジ１５ａ，ｂと後ヒンジ１３ａ，ｂは苗箱Ｎのサイドガイドとして作用し、苗箱Ｎが予備苗載せ台１２から外れて落ちるのを防ぎ、後ヒンジ１３ａ，ｂが前ヒンジ１５ａ，ｂより低いので、苗箱Ｎからマット苗を苗取板で掬い取る場合に邪魔にならない。
【００１２】
前台１２ａと中央台１２ｂと後台１２ｃは、苗箱Ｎを受けるローラ１７を所定間隔で遊支したサイドフレーム１８ａ，ｂを横杆１９で一体に連結した構成で、前台１２ａの前端でローラ１７よりも上側で左右のサイドフレーム１８ａ，ｂを連結する前枠扞２０を設け、後台１２ｃの後端でローラ１７よりも上側で左右のサイドフレーム１８ａ，ｂを連結する後枠扞３０を設けている。前枠扞２０と後枠扞３０はサイドフレーム１８ａ，ｂの上端と略同じ位置にあり、前枠扞２０は、前側から苗箱Ｎを載せる際のガイドとなり、後枠扞３０は後台１２ｃ上を後へ送られる苗箱Ｎのストッパとなる。
【００１３】
中央台１２ｂは、前後の横杆１９を二つのフレーム２１，２２で前後に連結し、走行機体１から立設した支持台２９の枢支軸２８に回動固定可能に設ける支持フレーム２７に前記フレーム２１，２２を支持杆２３，２４と連結杆２５，２６で一体に連結して構成している。
【００１４】
また、中央台１２ｂの内側には、空箱を差し込む空箱フレーム３１と、この空箱フレーム３１と予備苗載せ台１２との間で苗取板を差し込んで保持する苗取板フレーム３２を取付板３３，３４で一体的に取り付けている。空箱フレーム３１は、伸縮可能にする棒材４２で構成し、その棒材４２の前端を止め板３９で一体に連結して全体を前下方に傾けて収納した苗箱Ｎを苗側から収納する。止め板３９は空箱フレーム３１に差し込む空の苗箱Ｎの受板として作用する。
【００１５】
前記予備苗載せ台１２の枢支軸２８の位置は、図２に示す如く、走行機体１の前側左右側端で中央台１２ｂの左右中心よりも内側で、田植作業中には、左右の予備苗載せ台１２を前に向かってハの字状に固定するが予備苗載せ台１２の後端がリアステップ４１の前側に位置するようになることで、走行機体１上のメインステップ４０とリアステップ４１上が広く開放され、オペレータが予備苗載せ台１２上から予備苗を取り上げて苗載タンク１０ａに載せる作業が行い易くなる。また、この予備苗供給作業時に予備苗載せ台１２のサイドフレーム１８ａがメインステップ４０に重なっているので、サイドフレーム１８ａがオペレータの足に当たって、足をメインステップ４０の外に踏み外す虞が無い。なお、４３は、オペレータがメインステップ４０に乗り上がるための足掛けステップである。
【００１６】
図７は、予備苗載せ台１２を走行機体１の外側へ少し傾けた実施例で、畦側に立っている補助作業者が苗箱Ｎを載せ易くなる。
予備苗載せ台１２の支持台２９よりも後側でより外側位置に線引きマーカ３５を支持する支持杆３６を走行機体１に立設している。この支持杆３６に側方張り出し位置と起立位置に屈曲するように第二支持杆３７を設け、さらに第二支持杆３７の先端に直角に第三支持杆３８を固定し、その第三支持杆３８の先端に線引きマーカ３５を回動するように取り付けている。
【００１７】
線引きマーカ３５は、未植付圃場側に張り出して圃場面に印を付け、折り返してこの未植付圃場側に植付作業を行う時にその印が走行機体１の左右中心になるように走行することで、苗の左右植付ピッチを正確にすることが出来る。この線引きマーカ３５は、使用しない場合には第二支持杆３７を起立させるが、予備苗載せ台１２を折り畳んで回動する場合に干渉しない位置である。
【００１８】
苗の植付作業は、苗植付装置１０の苗載タンク１０ａ上にマット苗を積載し、前方へ向けた予備苗載せ台１２に前から苗箱Ｎを積み込み後方へ送る。左右の予備苗載せ台１２に苗箱Ｎが満載されると、図２のように左右の予備苗載せ台１２をハの字状に固定し植付作業を開始する。
【００１９】
そして、苗植付装置１０の苗載タンク１０ａ上のマット苗が無くなると、オペレータはメインステップ４０に立ち上がって予備苗載せ台１２の後端に在る苗箱Ｎから苗取板でマット苗を掬い取って苗載タンク１０ａ上に供給する。空の苗箱Ｎは空箱フレーム３１に差し込んでおく。
【００２０】
予備苗載せ台１２上の苗箱Ｎが全て空になると、走行機体１を畦際に移動して、マット苗を苗載タンク１０ａに載せ、苗箱Ｎを予備苗載せ台１２に満載して植付作業を再開するのである。
【図面の簡単な説明】
【００２１】
【図１】田植機の全体左側面図
【図２】植付作業時の田植機の全体正面図
【図３】植付休止時の田植機の全体正面図
【図４】一部の拡大側面図
【図５】一部の拡大平面図
【図６】一部の拡大正面図
【図７】別実施例の一部拡大正面図
【符号の説明】
【００２２】
１  走行機体
１０  苗植付装置
１２  予備苗載せ台
２８  旋回軸